(57)【要約】【課題】治具や工具を必要とせずに、光学部品を簡便に保持部材に固定し、かつ保持部材から容易に光学部品を分解することができる光学部品固定シートを提供する。【解決手段】固定シート１０は、シート本体１０ａと粘着剤層１０ｂとから構成され、そのほぼ中央部に光束を通過させる開口１２が形成される。保持枠５に組み込むまれたフィルタ６と、保持枠５との双方に跨がるように固定シート１０が貼り付けられ、フィルタ６が保持枠５に固定される。開口１２に連設して延長開口１２ａが形成され、フィルタ６の入射面と保持枠５の上面との一部を露出させる。開口１２を通してフィルタ６の入射面を払拭するときに、異物２０をフィルタ６の入射面から保持枠５に移すことができる。【選択図】        図４
2006317631.tif 000002
【特許請求の範囲】
【請求項１】
光学部品を保持部材に固定する光学部品固定シートにおいて、
光束を透過または反射する前記光学部品の光学面を露出させる開口を有し、裏面に設けられた粘着剤層により前記光学面と前記保持部材との双方に跨がって貼り付けられることを特徴とする光学部品固定シート。
【請求項２】
前記開口は、前記光学面の外縁に接する前記保持部材の一部を部分的に露出させるように拡張された延長開口を含むことを特徴とする請求項１記載の光学部品固定シート。
【発明の詳細な説明】
【技術分野】
【０００１】
本発明は、光学フィルタなどの光学部品を固定する際に用いられる光学部品固定シートに関するものである。
【背景技術】
【０００２】
一般に、光学フィルタやレンズなどの光学部品をフィルタ枠やレンズ枠などの保持部材に固定、保持させる場合、押さえ環を用いて固定したり、押さえ板で押さえたり、爪状部材にはめ込んで固定したり、カシメで固定したりすることが行われている。また、光学部品の外周と保持部材との間に接着剤を入れて固定する方法なども行われてきた。特許文献１ではレーザを用いたカシメ方法が、特許文献２では接着剤を使用した手段が、特許文献３ではカシメや押さえ環を用いた手段が開示されている。
【特許文献１】特開２００４−２３３６３９号公報
【特許文献２】特開２００１−２９００６３号公報
【特許文献３】特公平４−７３８４２号公報
【発明の開示】
【発明が解決しようとする課題】
【０００３】
押さえ環を使用する場合は、光学部品が組み込まれる保持部材の内面にネジをきるなどの加工が必要であり、押さえ環は部品としても高価である。押さえ板を使用する場合は２個以上の加工が必要となり、また固定するネジ頭分のスペースが必要になる。カシメの場合は、カシメ工具が必要となり、またあとで分解することや再組み立てすることが困難になる場合が多い。接着剤を用いて光学部品を保持部材に固定させる場合においては、接着剤が硬化するための時間が必要になり、分解や清掃や再組み立てにも多くの時間がかかるなどの問題がある。
【課題を解決するための手段】
【０００４】
本発明は上記事情を考慮してなされたもので、光束を透過または反射する光学部品の光学面を露出させる開口を有し、裏面に設けられた粘着剤層により前記光学面と保持部材との双方に跨がるように貼り付けられる光学部品固定シートを提供する。また、本発明の好ましい実施形態によれば、前記開口には、光学部品の外縁に接する保持部材の一部を部分的に露出させるように拡張された延長開口が連ねられる。
【発明の効果】
【０００５】
本発明の光学部品固定シートを用いれば、保持部材に特別な加工を要せずに短時間で簡便に光学部品を保持部材に固定することができ、部品コストや組み立てコストを節約するうえで効果的で、また分解を行うにあたっても光学部品や保持部材を何ら損傷することなく効率的に作業を行うことができる。さらに前記延長開口を設けておくことによって、光学部品を保持部材に固定した後で溶剤などのクリーニング液で光学面を払拭する際に、光学面に接する保持部材上で拭き止めすることができるから、払拭で集められた汚れや不溶物、あるいはクリーニング液の蒸発跡を光学部品上に残さずに済むようになる。
【発明を実施するための最良の形態】
【０００６】
図１に本発明を用いた固定シートの外観を示す。この固定シート２はシート本体２ａの裏面に粘着剤層２ｂを設けたもので、その中央部に光束を通過させるために円形の開口３が形成されている。シート本体２ａは、破断しにくく、適度な柔軟性をもった紙、合成紙あるいはプラスチック製のシート材で構成され、例えば表面に黒色塗装を施した厚み０．２ｍｍ程度の合成紙などを効果的に用いることができる。この固定シート２は、例えば図２に示すように、上面が平坦な保持枠５に円形平板状のフィルタ６を組み込んだ後、これを固定するときに用いられる。
【０００７】
図２（Ｂ）に示すように、保持枠５には上方から入射する光束を通過させる貫通穴５ａが形成され、この貫通穴５ａの内壁にはフィルタ６の下面を支持する段差部５ｂが設けられている。このような保持枠５はプラスチックの一体成形で用意につくることができる。また、保持枠５の上方からにフィルタ６を落とし込んだときに、フィルタ６の上面が保持枠５の上面よりも低くならないように、前記段差部５ｂの位置は予め決められている。
【０００８】
フィルタ６を保持枠５に落とし込んだ後、フィルタ６の中心と開口３の中心とがほぼ一致するように固定シート２が貼り付けられる。図２（Ａ）にフィルタ６の外周縁を破線で示したことからも判るように、開口３の内径はフィルタ６の外径よりも小さくしてあるから、固定シート２はフィルタ６の外周部分と保持枠５の上面に跨がって貼り付けられるようになり、フィルタ６を保持枠５に固定することができる。なお、フィルタ６の上面が保持枠５の上面から多少突出したとしても、固定シート２は適度な柔軟性をもっているので支障はない。
【０００９】
また、固定シート２はフィルタ６の周辺だけでなく、図２（Ａ）に示すように保持枠５上面の広い範囲に貼り付けられるので、充分な貼り付け強度が得られる。さらに、固定シート２は光学面として研磨されたフィルタ６の上面に貼り付けられるため、貼り付け時の密着性も高く充分な固定強度が得られる。なお、開口３の内径を小さくして固定シートとフィルタ６との貼り付け面積を広げれば固定強度をより高めることができるので、開口３の内径はフィルタ６に入射してくる光束の太さを考慮してこれを遮らないような径にしておけばよく、場合によっては固定シート６を黒色にして絞りの作用を持たせることも可能である。
【００１０】
この固定シート２は上述したフィルタ６以外にも、レンズやミラーなど他の光学部品をそれぞれの保持部材に固定するときにも簡便に用いることができる。また、固定シート２を光学部品と保持部材に跨がって貼り付ける際には、光束の入射面に限らず、出射面に貼り付けることももちろん可能である。さらに、メンテナンスなどで分解が必要となった場合には固定シート２を剥がすだけでよく、治具や工具類を必要としない。
【００１１】
ところで、上記のようにフィルタ６を保持枠５に固定した後、あるいはメンテナンスの際に、フィルタ６の入射面（上面）を清浄にするために溶剤などのクリーニング液を染み込ませたレンズペーパーなどを用いて払拭する作業が必要となることも少なくない。こうした場合、先に述べた実施形態では、開口３を通してこの払拭作業を行ったときに、拭き止めた部分にクリーニング液が残りやすい。すると、クリーニング液が揮発したあとに汚れや不溶物が揮発せずにフィルタ６の入射面に残留してしまい、光学性能などを劣化させてしまうことが懸念される。
【００１２】
図３は、このような払拭作業を行ったときでも、フィルタ６の入射面に残留物を残さずに済むように工夫した固定シートの一例を示している。この固定シート１０は、開口１２の形状を変えただけで、シート本体１０ａ，粘着剤層１０ｂなどの他の構成は先の実施形態と同様でよい。開口１２は、先の実施形態における開口３の一部を山形に拡張した延長開口１２ａを含み、この延長開口１２ａから保持枠５の一部が露出するようにしてある。
【００１３】
この固定シート１０を用いて保持枠５にフィルタ６を固定すると、図４に示すように、延長開口１２ａを通して保持枠５が部分的に露出する。フィルタ６が落とし込まれる貫通穴５ａの内径は、光軸に直交する面内でフィルタ６を位置決めできるようにフィルタ６の外径に応じて決められているから、フィルタ６の外縁と貫通穴５ａの開口縁との間には大きな隙間がなく、延長開口１２ａから露出する保持枠５の一部はフィルタ６の入射面とほぼ連なっているのが通常である。したがって開口１２ａを通して払拭作業を行うときには、まずフィルタ６の入射面を払いてそのままフィルタ６の外縁を越えて保持枠５の上で拭き止めるようにすればよい。そうすれば、クリーニング液が揮発したあとでも、汚れや不純物などの異物２０は延長開口１２ａの部分から露出した保持枠５の上に残留するだけとなり、フィルタ６の入射面には残留しないので光学特性を劣化させることはない。
【００１４】
なお、延長開口１２ａから露出する保持枠５の一部がフィルタ６の入射面と同じ高さあるいは低くなっていれば、払拭作業を行うときに異物２０をフィルタ６の入射面から支障なく取り除くことができる。したがって、保持枠５の上面がフィルタ６の入射面より高くなることは好ましくなく、一枚の固定シート１０でフィルタ６を保持枠５に充分な強度で固定するうえでも避けるべきである。
【００１５】
固定シート１０は、適度な柔軟性を有するシート本体１０ａと粘着剤層１０ｂとで構成されているため、フィルタ６のような平板状のものだけでなく、曲面をもった光学部品の固定にも用いることができる。例えば図５に示すように、入射面が凸球面となったレンズ２２を保持枠２４に固定する場合には、保持枠２４の貫通穴の内壁に形成された段差部２４ａ上にレンズ２２を落とし込み、その上から同様にして固定シート１０を貼り付ければよい。図６に示すように、固定シート１０はレンズ２２の凸球面に倣うように変形し、レンズ２２の外周部分には粘着剤層１０ｂが密着し、また固定シート１０は広い範囲で保持枠２４の上面に貼り付けられるから、充分な強度でレンズ２２を保持枠２４に一体化させることができる。
【００１６】
光学部品の外形形状が矩形である場合には、図７（Ａ）に示すように開口２５を矩形にした固定シート２６を用いればよい。先の実施形態と同様に、開口２５のサイズは、破線で示す光学部品の外形サイズ２７よりも小さくすることが必要である。なお、符号２５ａは払拭作業を行うときに光学部品上に異物を残さないようにするための延長開口を示す。また、図７（Ｂ）に示す固定シート３０は、円形の光学部品３１に対して正方形の開口３２を明けた例を示し、開口３２の四隅を複数箇所に設けられた延長開口３２ａとして利用することができる。
【図面の簡単な説明】
【００１７】
【図１】本発明を用いた固定シートの外観図である。
【図２】図１の固定シートでフィルタを固定した状態を示す平面図及び概略断面図である。
【図３】固定シートの他の例を示す外観図である。
【図４】図３の固定シートでフィルタを固定した状態を示す外観斜視図及び概略断面図である。
【図５】レンズ及びその保持枠を示す外観斜視図である。
【図６】図３の固定シートで図５に示すレンズを保持枠に固定した状態を示す概略断面図である。
【図７】本発明を用いた固定シートの別の二例を示す概略図である。
【符号の説明】
【００１８】
２，１０，２６，３０  固定シート
３，１２，２５，３２  開口
５，２４  保持枠
６  フィルタ
１２ａ，２５ａ，３２ａ  延長開口
２２  レンズ
【図１】
2006317631.tif 000003
【図２】
2006317631.tif 000004
【図３】
2006317631.tif 000005
【図４】
2006317631.tif 000006
【図５】
2006317631.tif 000007
【図６】
2006317631.tif 000008
【図７】
2006317631.tif 000009